(57)【要約】【課題】止水性を損なうことなく良好な作業性で網戸支持部を取り付けることができる建具を提供すること。【解決手段】縦枠２３の第１片２３４および第２片２３５にアタッチメント本体６１が係合されて縦枠アタッチメント６が保持され、長ビス６２によってアタッチメント本体６１の係合片６１１，６１２の移動が制限されて係合が強固になることで、縦枠アタッチメント６が外れにくくなり縦枠２３に確実に保持することができる。また、縦枠２３にビス孔等を形成する必要がなく、窓１の止水性を損なわないようにできる。さらに、縦枠２３に対してアタッチメント本体６１を挿入する作業や長ビス６２の螺合作業が見付け方向内側から実施できるので、屋内側からの取付作業によって縦枠アタッチメント６を取り付けることができ、取付作業の作業性を向上させることができる。【選択図】図３
2011038282.tif 000002
【特許請求の範囲】
【請求項１】
枠体と、この枠体に支持される網戸とを備える建具であって、
前記枠体は、見付け方向に延びる第１見付け片と、この第１見付け片の屋外側に対向して見付け方向に延びる第２見付け片とを有するとともに、これらの第１および第２の見付け片に保持されて前記網戸を支持する網戸支持部を備えて構成され、
前記網戸支持部は、前記第１および第２の見付け片間に挿入されて当該第１見付け片に係合される第１係合片および当該第２見付け片に係合される第２係合片と、前記第２見付け片の先端部が挿入されて当該先端部と係合する係合凹部と、前記第２見付け片よりも屋外側にて見付け方向内方に延びる網戸支持片と、当該網戸支持部に固着されることで前記第１および第２の係合片間に位置して当該係合片の移動を制限する移動制限手段とを備えて構成されている建具。
【請求項２】
前記第１係合片および第２係合片は、それぞれ前記第１見付け片および第２見付け片に沿って見付け方向に延びて対向する対向面部と、これらの対向面部先端から前記第１見付け片および第２見付け片に向かって各々延びる係合部とを有して形成され、
前記移動制限手段は、前記第１係合片および第２係合片の対向面部間に挿入されて当該対向面部に当接することで、当該対向面部同士の接近方向への移動を規制する規制挿入部を有して構成されている請求項１に記載の建具。
【請求項３】
前記移動制限手段は、前記網戸支持部に螺合されるビスで構成され、このビスの軸部によって前記規制挿入部が構成され、当該軸部の径寸法が前記対向面部同士の間隔寸法よりも大きく設定されている請求項２に記載の建具。
【請求項４】
枠体と、この枠体に支持される網戸とを備える建具であって、
前記枠体は、見付け方向に延びる第１見付け片と、この第１見付け片の屋外側に対向して見付け方向に延びる第２見付け片とを有するとともに、これらの第１および第２の見付け片に保持されて前記網戸を支持する網戸支持部を備えて構成され、
前記網戸支持部は、前記第１および第２の見付け片間に挿入されて当該見付け片に係合される係合片が形成された第１支持部材と、前記第２見付け片の先端部が挿入されて当該先端部と係合する係合凹部および当該第２見付け片よりも屋外側にて見付け方向内方に延びる網戸支持片が形成された第２支持部材と、この第２支持部材を第１支持部材に螺合して固着する固着手段とを備えて構成されている建具。
【請求項５】
前記第１支持部材および第２支持部材の一方に当接部が設けられ、他方に前記当接部が当接する被当接部が設けられ、前記固着手段の螺合に伴って前記当接部が前記被当接部を付勢することで、当該被当接部を前記第１見付け片に押圧可能に構成されている請求項４に記載の建具。
【請求項６】
前記係合凹部には、当該係合凹部の見込み方向の溝幅寸法が漸次小さくなるように傾斜した傾斜面部が設けられている請求項１から請求項５のいずれかに記載の建具。
【発明の詳細な説明】
【技術分野】
【０００１】
本発明は、建具に関し、詳しくは、枠体と、この枠体に支持される網戸とを備える建具に関する。
【背景技術】
【０００２】
従来、各種窓などの建具において、別体の枠部材を窓枠に取り付け、この枠部材によって網戸を支持する縦枠の構造が提案されている（例えば、特許文献１参照）。
特許文献１に記載された縦枠の構造は、クランク状に形成した補助縦枠を縦枠の屋外側に取り付け、この補助縦枠に網戸のタイト材を当接させることで、網戸と縦枠とに隙間ができないようにして、これにより虫の侵入が防止できるように構成されている。
【先行技術文献】
【特許文献】
【０００３】
【特許文献１】実公平０２−６２３６号公報
【発明の概要】
【発明が解決しようとする課題】
【０００４】
ところで、特許文献１に記載されたような従来の構造では、補助縦枠を縦枠にビス止め固定したり、屋外側からのネジで締め付けて固定したりしている。このため、縦枠にビス孔が形成されて止水性が損なわれたり、屋外側からのネジ止め作業が発生して作業性が低下したりなどの不都合がある。
【０００５】
本発明の目的は、止水性を損なうことなく良好な作業性で網戸支持部を取り付けることができる建具を提供することにある。
【課題を解決するための手段】
【０００６】
本発明の建具は、枠体と、この枠体に支持される網戸とを備える建具であって、前記枠体は、見付け方向に延びる第１見付け片と、この第１見付け片の屋外側に対向して見付け方向に延びる第２見付け片とを有するとともに、これらの第１および第２の見付け片に保持されて前記網戸を支持する網戸支持部を備えて構成され、前記網戸支持部は、前記第１および第２の見付け片間に挿入されて当該第１見付け片に係合される第１係合片および当該第２見付け片に係合される第２係合片と、前記第２見付け片の先端部が挿入されて当該先端部と係合する係合凹部と、前記第２見付け片よりも屋外側にて見付け方向内方に延びる網戸支持片と、当該網戸支持部に固着されることで前記第１および第２の係合片間に位置して当該係合片の移動を制限する移動制限手段とを備えて構成されていることを特徴とする。
【０００７】
このような本発明によれば、枠体における第１および第２の見付け片に網戸支持部を保持させる際に、第１および第２の係合片を見付け片間に挿入して係合させてから、第１および第２の係合片間に移動制限手段を位置させて当該係合片の移動を制限することで、係合片と見付け片との係合が外れにくくなり、枠体に対して網戸支持部を強固に保持することができる。また、第１および第２の係合片を見付け片に係合させることで網戸支持部が取り付けられるので、枠体自体にビス孔等を形成する必要がなく、建具の止水性を損なうことがない。さらに、第１および第２の見付け片間に第１および第２の係合片を挿入することから、網戸支持部の取付作業を見付け片に対して見付け方向内側から実施することができるとともに、これらの係合片間に移動制限手段を位置させる設置作業も、見付け方向の内側から実施することができる。従って、屋外側からのネジ止め作業等が不要にでき、屋内側からの取付作業によって網戸支持部を取り付けることができるので、取付作業の作業性を向上させることができる。
【０００８】
この際、本発明の建具では、前記第１係合片および第２係合片は、それぞれ前記第１見付け片および第２見付け片に沿って見付け方向に延びて対向する対向面部と、これらの対向面部先端から前記第１見付け片および第２見付け片に向かって各々延びる係合部とを有して形成され、前記移動制限手段は、前記第１係合片および第２係合片の対向面部間に挿入されて当該対向面部に当接することで、当該対向面部同士の接近方向への移動を規制する規制挿入部を有して構成されていることが好ましい。
このような構成によれば、移動制限手段の規制挿入部を第１および第２の係合片の対向面部間に挿入することで、第１および第２の係合片の全長に対して移動制限手段と当接した対向面部の長さ分だけ可動長さを短くすることにより、残りの部分である係合部の移動量を制限することができ、これらの係合片と見付け片とを強固に係合させることができる。一方、移動制限手段の規制挿入部を対向面部間から外すことで、第１および第２の係合片の全長分の可動長さとなることから、これらの係合片が撓みやすくなって網戸支持部の取り付けおよび取り外しを容易に実施することができる。
【０００９】
また、本発明の建具では、前記移動制限手段は、前記網戸支持部に螺合されるビスで構成され、このビスの軸部によって前記規制挿入部が構成され、当該軸部の径寸法が前記対向面部同士の間隔寸法よりも大きく設定されていることが好ましい。
このような構成によれば、ビスの軸部を対向面部間にねじ込むことで、対向面部の移動を拘束することができ、逆にビスを緩めることで、対向面部の拘束を解除して係合片の全長を可動長さとすることができる。また、ビスの軸部の径寸法を対向面部同士の間隔寸法よりも大きく設定することで、ビスのねじ込みに伴って対向面部が開く方向に付勢されることとなり、係合部と第１および第２の見付け片との係合を強めるように付勢力を作用させることができ、網戸支持部の取付強度を高めることができる。
【００１０】
また、本発明の建具は、枠体と、この枠体に支持される網戸とを備える建具であって、
前記枠体は、見付け方向に延びる第１見付け片と、この第１見付け片の屋外側に対向して見付け方向に延びる第２見付け片とを有するとともに、これらの第１および第２の見付け片に保持されて前記網戸を支持する網戸支持部を備えて構成され、前記網戸支持部は、前記第１および第２の見付け片間に挿入されて当該見付け片に係合される係合片が形成された第１支持部材と、前記第２見付け片の先端部が挿入されて当該先端部と係合する係合凹部および当該第２見付け片よりも屋外側にて見付け方向内方に延びる網戸支持片が形成された第２支持部材と、この第２支持部材を第１支持部材に螺合して固着する固着手段とを備えて構成されたものでもよい。
【００１１】
このような本発明によっても、枠体における第１および第２の見付け片に網戸支持部を保持させる際に、第１支持部材の係合片を見付け片間に挿入して係合させてから、第２支持部材の係合凹部を第２見付け片の先端部に係合させつつ、この第２支持部材を固着手段によって第１支持部材に螺合して固着することで、螺合による反力を第１支持部材に作用させて係合片と見付け片との係合が外れにくくでき、枠体に対して網戸支持部を強固に保持することができる。また、第１および第２の支持部材を固着手段で螺合するだけで、枠体自体にビス孔等を形成する必要がないため、建具の止水性を損なうことがない。さらに、第１および第２の見付け片間に第１支持部材の係合片を挿入することから、網戸支持部の取付作業を見付け片に対して見付け方向内側から実施することができるとともに、第１支持部材に第２支持部材を固着手段で固着する作業も、見付け方向の内側から実施することができる。従って、屋外側からのネジ止め作業等が不要にでき、屋内側からの取付作業によって網戸支持部を取り付けることができるので、取付作業の作業性を向上させることができる。
【００１２】
この際、本発明の建具では、前記第１支持部材および第２支持部材の一方に当接部が設けられ、他方に前記当接部が当接する被当接部が設けられ、前記固着手段の螺合に伴って前記当接部が前記被当接部を付勢することで、当該被当接部を前記第１見付け片に押圧可能に構成されていることが好ましい。
このような構成によれば、第１支持部材に対して第２支持部材を固着手段で螺合する際に、当接部と被当接部とを当接させて被当接部を付勢し、被当接部を第１見付け片に押圧することで、屋外側の係合凹部と屋内側の被当接部との２点間で網戸支持部を支持することができ、網戸支持部の取付強度を高めて回転を防止することができる。
【００１３】
以上において、本発明の建具では、前記係合凹部には、当該係合凹部の見込み方向の溝幅寸法が漸次小さくなるように傾斜した傾斜面部が設けられていることが好ましい。
このような構成によれば、枠体に対して網戸支持部を取り付ける際に係合凹部の傾斜面部を第２見付け片の先端部に当接させることで、第２見付け片の先端部が傾斜面部でガイドされながら係合凹部内にその先端部を挿入することができるため、網戸支持部の取り付け作業をより簡単にすることができる。
【図面の簡単な説明】
【００１４】
【図１】本発明の第１実施形態に係る建具を示す縦断面図である。
【図２】前記建具を示す横断面図である。
【図３】前記建具の縦枠部分を拡大して示す横断面図である。
【図４】前記縦枠における網戸支持部の取り付け手順を示す横断面図である。
【図５】前記網戸支持部の端部キャップを示す斜視図である。
【図６】前記網戸支持部および端部キャップを示す横断面図である。
【図７】本発明の第２実施形態に係る建具の縦枠部分を示す横断面図である。
【図８】前記第２実施形態の変形例に係る縦枠部分を示す横断面図である。
【発明を実施するための形態】
【００１５】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。また、各図においては、図面を見やすくするために、主要な構成部材については、その断面部分のハッチングを省略することがある。
【００１６】
〔第１実施形態〕
本発明の第１実施形態に係る建具としての上げ下げ窓１について、図１〜図６に基づいて説明する。
図１および図２に示すように、上げ下げ窓１は、図示しない建物外壁に固定される枠体としての窓枠２と、この窓枠２内部に上下開閉自在に支持される室外障子３と、この室外障子３よりも室内側にて窓枠２に上下開閉自在に支持される室内障子４と、室外障子３よりも室外側（屋外側）にて窓枠２に移動不能に支持される網戸５とを備えて構成されている。
窓枠２は、それぞれアルミ押出形材製の上枠２１、下枠２２および左右の縦枠２３を四周枠組みして構成されている。
【００１７】
窓枠２の縦枠２３は、図２に示すように、見込み方向に延びる見込み面部２３１と、この見込み面部２３１の室内側端部近傍から見付け方向内方に延びる室内側見付け片２３２と、この室内側見付け片２３２の室外側に対向し見込み面部２３１の中間位置から見付け方向内方に延びる中間見付け片２３３と、この中間見付け片２３３の室外側に対向し見込み面部２３１から見付け方向内方に延びる第１見付け片としての第１室外側見付け片２３４（以下では、第１片２３４と呼ぶ）と、この室外側見付け片２３４の室外側に対向し見込み面部２３１の室外側端部から見付け方向内方に延びる第２見付け片としての第２室外側見付け片２３５（以下では、第２片２３５と呼ぶ）とを有して形成されている。このような縦枠２３には、見込み面部２３１と室内側見付け片２３２と中間見付け片２３３とで三方が囲まれて見付け方向内方に開口した第１溝部２３６と、見込み面部２３１と中間見付け片２３３と第１片２３４とで三方が囲まれて見付け方向内方に開口した第２溝部２３７と、見込み面部２３１と第１片２３４と第２片２３５とで三方が囲まれて見付け方向内方に開口した第３溝部２３８とが形成されている。
【００１８】
網戸５は、それぞれアルミ押出形材製の上框５１、下框５２および左右の縦框５３を四周框組みした内部に、左右の縦框５３に渡って中桟５４を架設するととともに、中桟５４の室外側にて上框５１、下框５２および左右の縦框５３に防虫ネット５５を張り渡して構成されている。網戸５の上框５１は、防虫材を介して上枠２１に当接し、下框５２は防虫材を介して下枠２２に当接するようになっている。一方、網戸５の左右の縦框５３は、図２に示すように、網戸支持部としての縦枠アタッチメント６を介して縦枠２３に支持され、縦框５３に取り付けた防虫材５３１を縦枠アタッチメント６に当接させることで、虫等の侵入が防止できるようになっている。以下、縦枠アタッチメント６の構造および縦枠２３に対する取付構造について、図３〜図６も参照して説明する。
【００１９】
縦枠アタッチメント６は、アルミ押出形材製の長尺一体成形部材であるアタッチメント本体６１と、このアタッチメント本体６１の長手方向に沿った複数箇所に設けられる移動制限手段としての長ビス６２と、アタッチメント本体６１の上下端部に取り付けられる端部キャップ６３（図６、７参照）とを有して構成されている。
アタッチメント本体６１は、室内外一対の第１係合片６１１および第２係合片６１２と、これらの係合片６１１，６１２の基端部を連結して見込み方向室外側に延びる見込み面部６１３と、この見込み面部６１３の室外側端部から見付け方向内方に折れ曲がって延びる網戸支持片６１４と、この網戸支持片６１４と反対側の見付け方向外方に向かって見込み面部６１３から突出する突出片部６１５とを有して形成されている。
【００２０】
第１係合片６１１および第２係合片６１２は、それぞれ薄板状に形成され、互いに見込み方向に接近、離隔するように弾性変形可能に構成されるとともに、それらの見付け方向長さ寸法が縦枠２３の第２片２３５と略同一に形成されている。また、一対の係合片６１１，６１２は、縦枠２３の第１片２３４および第２片２３５間の第３溝部２３８に挿入されるようになっており、これらの係合片６１１，６１２の先端部（見付け方向外側端部）には、それぞれ係合部６１１Ａ，６１２Ａが形成されている。そして、第１係合片６１１の係合部６１１Ａは、第１片２３４の基端部に形成された係合突起２３４Ａに係合され、第２係合片６１２の係合部６１２Ａは、第２片２３５の基端部に形成された係合突起２３５Ａに係合されるようになっている。また、一対の係合片６１１，６１２における見込み面部６１３側には、第２片２３５の略半分の見付け方向長さに渡って、互いに略平行に対向する対向面部６１１Ｂ，６１２Ｂが形成されている。
【００２１】
アタッチメント本体６１において、第２係合片６１２と突出片部６１５との間には、縦枠２３の第２片２３５の先端部を受け入れて当該先端部に係合される係合凹部６１６が形成されている。また、係合凹部６１６の内面における第２係合片６１２側には、第２片２３５の先端部に当接可能でかつ見付け方向内方に向かうにしたがって室外側に傾斜した傾斜面部６１７が形成されている。このような係合凹部６１６を第２片２３５に係合させる際には、第２片２３５の先端部に傾斜面部６１７が当接することで、アタッチメント本体６１が室内側に引き寄せられるとともに、突出片部６１５が第２片２３５の室外側面に当接することで、アタッチメント本体６１の見込み方向への移動が規制されるようになっている。また、網戸支持片６１４は、第２片２３５よりも室外側に位置するとともに、第２片２３５の先端部および第１片２３４の先端部よりも見付け方向内側まで延びて設けられ、この網戸支持片６１４の先端部に網戸５の縦框５３が係止されて支持されるようになっている。なお、網戸５は、左右けんどん式で網戸支持片６１４に取り付けられ、図示しない係止具によって位置決めされて脱落しないようになっている。
【００２２】
以上の縦枠アタッチメント６の縦枠２３への取付手順としては、先ず、図４(Ａ)に示すように、アタッチメント本体６１を縦枠２３の第３溝部２３８に対し、見付け方向内方かつ若干室外側に片寄った位置から、第１係合片６１１および第２係合片６１２を第３溝部２３８に挿入する。この際、第１係合片６１１先端の係合部６１１Ａを第１片２３４に当接させ、かつ傾斜面部６１７を第２片２３５の先端部に当接させるとともに、アタッチメント本体６１の網戸支持片６１４側を室内側に回転させつつ、当該アタッチメント本体６１を第３溝部２３８に押し込むことで、第１係合片６１１が第２係合片６１２側つまり室外側に弾性変形するようになっている。そして、アタッチメント本体６１をさらに押し込むことで、第１係合片６１１の係合部６１１Ａが第１片２３４の係合突起２３４Ａを乗り越えて係合し、第２係合片６１２の係合部６１２Ａが第２片２３５の係合突起２３５Ａを乗り越えて係合するとともに、係合凹部６１６が第２片２３５の先端部に係合することで、アタッチメント本体６１が縦枠２３に仮止めされるようになっている。
【００２３】
次に、図４(Ｂ)に示すように、アタッチメント本体６１の見込み面部６１３を貫通して長ビス６２を螺合する。ここで、第１係合片６１１および第２係合片６１２の対向面部６１１Ｂ，６１２Ｂ間の間隔寸法Ａは、長ビス６２の軸部６２１（規制挿入部）の径寸法Ｂよりも小さく設定されており、長ビス６２を螺合することで、軸部６２１のねじ山が対向面部６１１Ｂ，６１２Ｂに食い込みつつ螺合されるとともに、この軸部６２１に押された係合片６１１，６１２が互いに拡がる方向（離隔する方向）に付勢されるようになっている。これにより、係合片６１１，６１２先端の係合部６１１Ａ，６１２Ａがそれぞれ係合突起２３４Ａ，２３５Ａに対して見込み方向に強く係合されるようになっている。さらに、長ビス６２の軸部６２１が対向面部６１１Ｂ，６１２Ｂ間に挿入されることで、対向面部６１１Ｂ，６１２Ｂ同士の接近方向への移動が規制され、第１係合片６１１および第２係合片６１２の可動長さが短くなって弾性変形しにくくなり、すなわち係合片６１１，６１２の移動が制限され、係合部６１１Ａ，６１２Ａがそれぞれ係合突起２３４Ａ，２３５Ａから外れにくくできるように構成されている。
【００２４】
さらに、長ビス６２を見付け方向に締め込み、図３に示すように、その先端を縦枠２３の見込み面部２３１に当接させて押圧することで、その反力によってアタッチメント本体６１が見付け方向内方に付勢されるようになっている。これにより、係合部６１１Ａ，６１２Ａがそれぞれ係合突起２３４Ａ，２３５Ａに対して見付け方向に強く係合され、アタッチメント本体６１のがたつきが抑制されるようになっている。以上のようにして取り付けられたアタッチメント本体６１は、第１係合片６１１および第２係合片６１２の係合部６１１Ａ，６１２Ａがそれぞれ係合突起２３４Ａ，２３５Ａに係合されるとともに、係合凹部６１６が第２片２３５の先端部に係合されることで、縦枠２３の第１片２３４および第２片２３５に保持され、このアタッチメント本体６１の網戸支持片６１４に網戸５が支持されるようになっている。
【００２５】
次に、端部キャップ６３は、樹脂製の一体成形部品であって、図５、図６に示すように、アタッチメント本体６１の網戸支持片６１４端縁を覆う上面部６３１と、この上面部６３１よりも一段下がって室内側に延び見込み面部６１３の端縁を覆う交差部６３２と、上面部６３１から垂下されて網戸支持片６１４の室内側面に沿う第１挟持片６３３と、この第１挟持片６３３の室外側に対向して上面部６３１から垂下される第２挟持片６３４とを有して形成されている。そして、第１挟持片６３３と第２挟持片６３４との間には、網戸支持片６１４が挿入される溝部６３５が形成されており、この溝部６３５に挿入された網戸支持片６１４が第１挟持片６３３と第２挟持片６３４とで挟持されるようになっている。さらに、第１挟持片６３３には、上下に延びる２本のリブ部６３３Ａが形成されている。また、上面部６３１には、第２挟持片６３４に連続してアタッチメント本体６１の見込み面部６１３および突出片部６１５の室外側に沿う第３挟持片６３６と、交差部６３２に対向して見込み面部６１３の見付け方向外側面に沿う第４挟持片６３７とが垂下され、第４挟持片６３７は、第１係合片６１１と第２係合片６１２との間に挿入される。そして、交差部６３２と第３挟持片６３６および第４挟持片６３７とで見込み面部６１３を挟持するようになっている。
【００２６】
以上のようにしてアタッチメント本体６１に取り付けられた端部キャップ６３は、その上面部６３１が上枠２１の屋外側垂下片２１１下端面に当接するとともに、第３挟持片６３６が縦枠２３の第２片２３５室外面に当接するようになっている。従って、アタッチメント本体６１の網戸支持片６１４が第２片２３５よりも室外側に位置して、この網戸支持片６１４と上枠２１の屋外側垂下片２１１との間に隙間が形成されていたとしても、この隙間を端部キャップ６３によって塞ぐことで、虫等の侵入が防止できるように構成されている。なお、端部キャップ６３として、ここではアタッチメント本体６１の上端部に取り付けられるものを例示して説明したが、アタッチメント本体６１の下端部にも、端部キャップ６３と同様かつ上下対称に形成された端部キャップが取り付けられており、この端部キャップが下枠２２に当接可能に構成されている。
【００２７】
以上の本実施形態によれば、縦枠２３の第１片２３４および第２片２３５にアタッチメント本体６１が係合されて縦枠アタッチメント６が保持され、長ビス６２によってアタッチメント本体６１の係合片６１１，６１２の移動が制限されて係合が強固になることで、縦枠アタッチメント６が外れにくくなり縦枠２３に確実に保持することができる。また、係合片６１１，６１２の係合により縦枠アタッチメント６が取り付けられるので、縦枠２３にビス孔等を形成する必要がなく、上げ下げ窓１の止水性を損なわないようにできる。さらに、縦枠２３に対してアタッチメント本体６１を挿入する作業や長ビス６２の螺合作業が見付け方向内側から実施できるので、屋外側からのネジ止め作業等が不要にでき、屋内側からの取付作業によって縦枠アタッチメント６を取り付けることができ、取付作業の作業性を向上させることができる。
【００２８】
〔第２実施形態〕
次に、本発明の第２実施形態を図７および図８に基づいて説明する。
本実施形態における建具としての上げ下げ窓１は、前記第１実施形態と同様の窓枠２、室外障子３、室内障子４および網戸５を備えて構成され、縦枠アタッチメントの構成が第１実施形態と相違するものであり、以下、相違点について詳しく説明する。
図７において、第２実施形態の縦枠アタッチメント７は、アルミ押出形材製の長尺一体成形部材である第１支持部材７１および第２支持部材７２と、これらの第１および第２の支持部材７１，７２を螺合して固着する固着手段としてのビス７３とを備えて構成されている。なお、縦枠アタッチメント７の材質をアルミ製としたが、縦枠アタッチメント７の材質については、第１支持部材７１がアルミ製で、第２支持部材７２が樹脂製であってもよく、その逆の組み合わせあるいは、同一素材であってもよいし、また、アルミ、樹脂以外の素材を用いてもよい。
【００２９】
第１支持部材７１は、縦枠２３の第１片２３４および第２片２３５間の第３溝部２３８に挿入されるようになっており、室内外一対の第１係合片７１１および第２係合片７１２と、これらの係合片７１１，７１２の基端部を連結して見付け方向内方に開口しビス７３が螺合可能な螺合部７１３と、係合片７１１，７１２の基端部から室内側に延びる当接片部（当接部）７１４とを有して形成されている。第１係合片７１１および第２係合片７１２は、見付け方向外方に向かって互いに開く方向に延びて形成され、これらの係合片７１１，７１２の先端部には、それぞれ係合部７１１Ａ，７１２Ａが形成され、係合部７１１Ａは、第１片２３４の係合突起２３４Ａに係合され、係合部７１２Ａは、第２片２３５の係合突起２３５Ａに係合されるようになっている。なお、第１支持部材７１は長尺ものに限らず、2つ以上に分割して適宜な箇所に設けてもよい。
【００３０】
第２支持部材７２は、第１支持部材７１の螺合部７１３に対向して見込み方向に延びる見込み面部７２１と、この見込み面部７２１の室外側端部から見付け方向内方に折れ曲がって延びる網戸支持片７２２と、この網戸支持片７２２と反対側の見付け方向外方に向かって見込み面部７２１から突出する２つの突出片部７２３，７２４と、見込み面部７２１の室内側端部から見付け方向外方かつ室内側に傾斜して延びる被当接片部（被当接部）７２５とを有して形成されている。２つの突出片部７２３，７２４間には、縦枠２３の第２片２３５の先端部を受け入れて当該先端部に係合される係合凹部７２６が形成され、この係合凹部７２６が第２片２３５に係合することで、第２支持部材７２の見込み方向への移動が規制されるようになっている。また、網戸支持片７２２は、第２片２３５よりも室外側に位置するとともに、第２片２３５の先端部および第１片２３４の先端部よりも見付け方向内側まで延びて設けられ、この網戸支持片７２２の先端部に網戸５の縦框５３が係止されて支持されるようになっている。
【００３１】
以上の縦枠アタッチメント７の縦枠２３への取付手順としては、先ず、第１支持部材７１と第２支持部材７２とをビス７３によって緩く仮止めした状態で、縦枠２３の第３溝部２３８に対して見付け方向内方かつ若干室外側に片寄った位置から、第１支持部材７１を第３溝部２３８に斜めに挿入し、第２支持部材７２側を室内側に回転させつつ、第１支持部材７１を第３溝部２３８にさらに押し込む。これにより第１係合片７１１の係合部７１１Ａが第１片２３４の係合突起２３４Ａを乗り越えて係合し、第２係合片７１２の係合部７１２Ａが第２片２３５の係合突起２３５Ａを乗り越えて係合することで、縦枠アタッチメント７が縦枠２３に仮止めされるようになっている。
【００３２】
次に、ビス７３を第１支持部材７１の螺合部７１３に締め込むことで、図７に仮想線で示す位置から実線で示す位置まで第２支持部材７２が移動し、これにより係合凹部７２６が第２片２３５の先端部に係合する。さらに、第２支持部材７２の被当接片部７２５が第１支持部材７１の当接片部７１４に当接され、室内側に付勢されることで、被当接片部７２５の先端が第１片２３４の室外側面に当接し、その反力によって第２支持部材７２が室外側に押圧され、縦枠アタッチメント７の回転が防止できるようになっている。また、ビス７３を締め込むことで、係合凹部７２６が第２片２３５の先端部に当接し、その反力によって第１支持部材７１が見付け方向内方に付勢され、係合部７１１Ａ，７１２Ａがそれぞれ係合突起２３４Ａ，２３５Ａに対して見付け方向に強く係合され、縦枠アタッチメント７のがたつきが抑制されるようになっている。以上のように、２箇所の係合部７１１Ａ，７１２Ａ、係合凹部７２６および被当接片部７２５の４箇所において、第１支持部材７１および第２支持部材７２が縦枠２３に支持されることで、縦枠２３の第１片２３４および第２片２３５に対して縦枠アタッチメント７が強固に保持されるようになっている。
【００３３】
なお、本実施形態の縦枠アタッチメント７は、図８に示す構造のものでもよい。
図８において、縦枠アタッチメント７Ａは、長尺一体成形部材である第１支持部材７１Ａと、前述と同様の第２支持部材７２およびビス７３とを備えて構成され、第１支持部材７１Ａにおける当接部の構成が前記縦枠アタッチメント７と相違している。すなわち、第１支持部材７１Ａでは、前記当接片部７１４が省略され、これに替えて当接部材（当接部）７１５が第１係合片７１１に設けられ、この当接部材７１５に被当接片部７２５が当接されて室内側に付勢されるようになっている。従って、ビス７３の締め込みに伴って、被当接片部７２５の先端が第１片２３４の室外側面に当接し、その反力によって第２支持部材７２が室外側に押圧され、縦枠アタッチメント７Ａの回転が防止できるようになっている。
【００３４】
以上の本実施形態によっても、前記第１実施形態と略同様の効果を得ることができる。
すなわち、第１支持部材７１の係合片７１１，７１２を第１片２３４および第２片２３５に係合させてから、第２支持部材７２をビス７３によって第１支持部材７１に螺合することで、その反力によって付勢された係合部７１１Ａ，７１２Ａがそれぞれ係合突起２３４Ａ，２３５Ａに対して見付け方向に強く係合され、縦枠２３に対して縦枠アタッチメント７を確実に保持することができる。また、係合片７１１，７１２を第１片２３４および第２片２３５に係合させ、第１支持部材７１と第２支持部材７２とをビス７３で螺合するだけで、縦枠２３にビス孔等を形成する必要がないため、上げ下げ窓１の止水性を損なわないようにできる。縦枠２３に対して縦枠アタッチメント７を挿入する作業やビス７３の螺合作業が見付け方向内側から実施できるので、屋外側からのネジ止め作業等が不要にでき、屋内側からの取付作業によって縦枠アタッチメント７を取り付けることができ、取付作業の作業性を向上させることができる。
【００３５】
なお、本発明は前記実施形態の構成に限定されるものではない。
例えば、前記実施形態では、建具としての上げ下げ窓１を例示したが、本発明の建具は、上げ下げ窓１に限らず、引違い窓や片引き窓、内倒し窓など、任意の開閉形式を有した窓や、その他の出入り口等に利用される建具であってもよい。
また、上げ下げ窓としては、前記実施形態で説明したような室内外一対の可動障子（室外障子３および室内障子４）を備えたものに限らず、室内障子４のみが上下開閉可能に設けられ、室外障子３または室外面材が窓枠２に固定されて開閉不能に構成されたものでもよい。この場合には、網戸５は、窓枠２の開口全体を覆うものに限らず、室外障子３または室外面材の下側に形成される開口を覆うサイズに形成されていてもよい。さらに、網戸が縦枠アタッチメント６，７，７Ａの網戸支持片６１４，７２２に対して、上下スライド開閉可能に支持されていてもよい。
さらに、前記実施形態では、網戸支持部として、左右一対の縦枠アタッチメント６，７，７Ａについて説明したが、これに限らず、網戸支持部が上枠２１および下枠２２に取り付けられて上下一対で設けられてもよいし、上下左右の枠材のうちのいずれか１つに設けられてもよいし、上下左右の各枠材に取り付けられて網戸の四周を囲んで設けられてもよい。
【００３６】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００３７】
１…上げ下げ窓（建具）、２…窓枠（枠体）、３…室外障子（面材）、４…室内障子（面材）、５…網戸、６，７，７Ａ…縦枠アタッチメント（網戸支持部）、２３４…第１室外側見付け片（第１見付け片である第１片）、２３５…第２室外側見付け片（第２見付け片である第２片）、６２…長ビス（移動制限手段）、７１…第１支持部材、７２…第２支持部材、７３…ビス（固着手段）、６１１…第１係合片、６１１Ａ…係合部、６１１Ｂ…対向面部、６１２…第２係合片、６１２Ａ…係合部、６１２Ｂ…対向面部、６１４…網戸支持片、６１６…係合凹部、６１７…傾斜面部、６２１…軸部（規制挿入部）、７１１…第１係合片、７１２…第２係合片、７１４…当接片部（当接部）、７１５…当接部材（当接部）、７２２…網戸支持片、７２５…被当接片部（被当接部）、７２６…係合凹部。
【図１】
2011038282.tif 000003
【図２】
2011038282.tif 000004
【図３】
2011038282.tif 000005
【図４】
2011038282.tif 000006
【図５】
2011038282.tif 000007
【図６】
2011038282.tif 000008
【図７】
2011038282.tif 000009
【図８】
2011038282.tif 000010